(57)【要約】【課題】フリッカ調整を簡易に且つ正確に行うことができるフリッカ調整用シート及びそれを用いた表示装置のフリッカ調整方法を提供する。【解決手段】フリッカ調整用シート１０は、透明のシート本体１１と、シート本体１１に設けられ、フリッカ調整対象の表示装置のマトリクス状に配置された複数の画素２５を、その行又は列方向において１ラインおきに遮光する複数の遮光部１２と、を備える。【選択図】図２
2009258534.tif 000002
【特許請求の範囲】
【請求項１】
複数の画素がマトリクス状に配置された表示装置のフリッカ調整用シートであって、
透明のシート本体と、
上記シート本体に設けられ、フリッカ調整対象の表示装置のマトリクス状に配置された複数の画素を、その行又は列方向において１ラインおきに遮光する複数の遮光部と、
を備えたフリッカ調整用シート。
【請求項２】
請求項１に記載されたフリッカ調整用シートにおいて、
上記遮光部は、上記シート本体の表面に設けられているフリッカ調整用シート。
【請求項３】
請求項１に記載されたフリッカ調整用シートにおいて、
上記遮光部は、上記シート本体の内部に設けられているフリッカ調整用シート。
【請求項４】
請求項１に記載されたフリッカ調整用シートにおいて、
上記遮光部は、上記シート本体に遮光性塗料を印刷することで形成されているフリッカ調整用シート。
【請求項５】
請求項１に記載されたフリッカ調整用シートにおいて、
上記遮光部は、上記シート本体に遮光膜を成膜することで形成されているフリッカ調整用シート。
【請求項６】
複数の画素がマトリクス状に配置された表示装置のフリッカ調整方法であって、
透明のシート本体と、該シート本体に設けられ、フリッカ調整対象の表示装置のマトリクス状に配置された複数の画素を、その行又は列方向において１ラインおきに遮光する複数の遮光部と、を備えたフリッカ調整用シートを準備するステップと、
上記フリッカ調整用シートを、上記複数の遮光部が調整対象の表示装置の複数の画素に対し、行又は列方向において１ラインおきに遮光するように表示装置の表示面上に設けるステップと、
上記フリッカ調整用シートを表示装置の表示面上に設けた状態で、表示装置を表示させてフリッカを調整するステップと、
を備えた表示装置のフリッカ調整方法。
【発明の詳細な説明】
【技術分野】
【０００１】
本発明は、フリッカ調整用シート及びそれを用いた表示装置のフリッカ調整方法に関する。
【背景技術】
【０００２】
液晶表示装置等の表示装置では、一般的に、表示媒体の劣化防止のために、一定周期で正負両極性に反転する電圧を印加させている。このとき、印加される電圧の正負のバランスがずれると、フリッカ（明るさの変化）が発生し、表示媒体が劣化するとともに、表示品位が低下する。
【０００３】
フリッカを目立たなくするための技術として、電圧印加の際の極性反転のタイミング、又は、それらの組み合わせが検討されている。初期の技術では、１フィールドごとに極性反転（フィールド反転）させていたが、この場合、対向信号センター値に少しのずれが生じても、フリッカが目立っていた。現在では、例えば、特許文献１に記載のように、１ゲートライン（１水平期間）ごとに極性反転（ゲートライン反転）させることで、フリッカを目立たなくしている。これは、正負のバランスのずれが隣接ライン間で補完しあい、明るさ変化の周波数がフィールド反転の場合の倍になり、人間が認識し難くなるためである。この他にも、ソースライン反転等の極性反転法が研究・開発されており、フリッカ以外のその他の特徴も考慮して表示装置の各モデルで採用されている。
【特許文献１】特開平２−８３５２７号公報
【発明の開示】
【発明が解決しようとする課題】
【０００４】
フリッカの発生は、表示装置の製造段階で検査する必要があり、上述のゲートライン反転或いはソースライン反転等の極性反転法を採用した表示装置に対し、フリッカの検査を行いつつ、必要なフリッカ調整を施している。
【０００５】
しかしながら、表示装置を、その中間調で表示面全体を表示させて検査する場合等では、電圧極性が正負同士で相殺してしまい、フリッカが認識し難くなる。
【０００６】
本発明は、斯かる諸点に鑑みてなされたものであり、その目的とするところは、フリッカ調整を簡易に且つ正確に行うことができるフリッカ調整用シート及びそれを用いた表示装置のフリッカ調整方法を提供することである。
【課題を解決するための手段】
【０００７】
本発明に係るフリッカ調整用シートは、透明のシート本体と、シート本体に設けられ、フリッカ調整対象の表示装置のマトリクス状に配置された複数の画素を、その行又は列方向において１ラインおきに遮光する複数の遮光部と、を備えたことを特徴とする。
【０００８】
また、本発明に係るフリッカ調整用シートは、遮光部が、シート本体の表面に設けられていてもよい。
【０００９】
さらに、本発明に係るフリッカ調整用シートは、遮光部が、シート本体の内部に設けられていてもよい。
【００１０】
また、本発明に係るフリッカ調整用シートは、遮光部が、シート本体に遮光性塗料を印刷することで形成されていてもよい。
【００１１】
さらに、本発明に係るフリッカ調整用シートは、遮光部が、シート本体に遮光膜を成膜することで形成されていてもよい。
【００１２】
本発明に係る表示装置のフリッカ調整方法は、透明のシート本体と、シート本体に設けられ、フリッカ調整対象の表示装置のマトリクス状に配置された複数の画素を、その行又は列方向において１ラインおきに遮光する複数の遮光部と、を備えたフリッカ調整用シートを準備するステップと、フリッカ調整用シートを、複数の遮光部が調整対象の表示装置の複数の画素に対し、行又は列方向において１ラインおきに遮光するように表示装置の表示面上に設けるステップと、フリッカ調整用シートを表示装置の表示面上に設けた状態で、表示装置を表示させてフリッカを調整するステップと、を備えたことを特徴とする。
【発明の効果】
【００１３】
本発明によれば、フリッカ調整を簡易に且つ正確に行うことができるフリッカ調整用シート及びそれを用いた表示装置のフリッカ調整方法を提供することができる。
【発明を実施するための最良の形態】
【００１４】
以下、本発明の実施形態に係るフリッカ調整用シート、及び、フリッカ調整用シートを用いた表示装置のフリッカ調整方法を、図面に基づいて詳細に説明する。また、本実施形態では、表示装置として、液晶表示装置を例に挙げて説明する。尚、本発明は、以下の実施形態に限定されるものではない。
【００１５】
（フリッカ調整用シート１０の構成）
図１は、フリッカ調整対象の液晶表示装置２０、及び、液晶表示装置２０の表示面上に設けた本発明の実施形態に係るフリッカ調整用シート１０の斜視図である。
【００１６】
フリッカ調整用シート１０は、図２に示すように、透明のシート本体１１と、シート本体１１に設けられた遮光部１２とを備えている。ここで、図２は、図１の液晶表示装置２０、及び、液晶表示装置２０の表示面上に設けたフリッカ調整用シート１０を、フリッカ調整用シート１０側から見た平面図を示している。
【００１７】
シート本体１１は、透明のガラス又は樹脂等で構成されている。シート本体１１は、フリッカ調整対象の液晶表示装置２０の表示面に対応するように、矩形状に形成されている。シート本体１１表面の縦・横のサイズは、フリッカ調整対象の液晶表示装置２０の表示面のサイズと同等のものでもよく、それより大きくても小さくてもよい。シート本体１１のサイズが液晶表示装置２０の表示面のサイズよりも小さい場合は、シート本体１１を調整対象部位のみに位置合わせして用いればよい。シート本体１１の厚さは、特に限られないが、例えば、１００μｍ程度に形成されている。
【００１８】
遮光部１２は、シート本体１１表面に形成されている。遮光部１２は、図２に示すように、フリッカ調整対象の液晶表示装置２０のマトリクス状に配置された複数の画素２５を、その行方向において１ラインおきに遮光するように、各々帯状で且つ等間隔に、複数形成されている。
【００１９】
遮光部１２は、シート本体１１表面に黒色塗料等の遮光性塗料等を印刷することにより形成されている。なお、遮光部１２は、シート本体１１裏面に形成されていてもよく、シート本体１１内部に形成されていてもよい。また、遮光部１２は、シート本体１１表面に複数のライン状の遮光膜を成膜することにより形成されていてもよい。遮光膜としては、黒色樹脂等の遮光性樹脂を用いることができる。
【００２０】
また、遮光部の形態としては、図２に示すものに限られない。例えば、図３に示すように、フリッカ調整用シート１０’の遮光部１２’が、フリッカ調整対象の液晶表示装置２０のマトリクス状に配置された複数の画素２５を、その列方向において１ラインおきに遮光するようにシート本体１１’上に等間隔に複数形成されていてもよい。
【００２１】
フリッカ調整対象の液晶表示装置２０は、複数の画素２５がマトリクス状に配置されたアクティブマトリクス基板２２、アクティブマトリクス基板２２に不図示の液晶層を介して対向するように配置されたカラーフィルタ基板２１、及び、これら基板２１，２２の光源としてのバックライト２３等で構成されている。
【００２２】
（フリッカ調整用シート１０を用いた液晶表示装置２０のフリッカ調整方法）
次に、本発明の実施形態に係るフリッカ調整用シート１０を用いた液晶表示装置２０のフリッカ調整方法について説明する。尚、以下に示す製造方法は単なる例示であり、本発明に係るフリッカ調整用シート１０を用いた液晶表示装置２０のフリッカ調整方法は以下に示したものに限定されない。
【００２３】
まず、フリッカ調整対象の液晶表示装置２０を準備する。液晶表示装置２０は、フリッカ調整前では、表示パターンの中間調色内の濃淡縞の濃度が均一ではなく、水平同期期間ごとにスジ状の濃淡縞、つまりフリッカが発生する。
【００２４】
次に、液晶表示装置２０の表示面上に、フリッカ調整用シート１０をアライメントにより設置する。このとき、フリッカ調整用シート１０は、図２に示すように、液晶表示装置２０の表示面上において、マトリクス状に配置された複数の画素２５に対し、その行方向において１ラインおきに遮光するように配置する。
【００２５】
ここで、液晶表示装置２０は、ゲートライン（Ｇ１〜Ｇ６）とソースライン（Ｓ１〜Ｓ６）とにそれぞれ対応する各画素２５において、図４（ａ）及び（ｂ）に示すように、奇数フィールド及び偶数フィールドの切り替わりの際に１ゲートラインごとに極性反転する。
【００２６】
なお、液晶表示装置２０がゲートライン（Ｇ１〜Ｇ６）とソースライン（Ｓ１〜Ｓ６）とにそれぞれ対応する各画素２５において、図５（ａ）及び（ｂ）に示すように、奇数フィールド及び偶数フィールドの切り替わりの際に１ソースラインごとに極性反転する場合は、図３に示すフリッカ調整用シート１０’を用いる。
【００２７】
次に、液晶表示装置２０のバックライト２３を点灯させるとともに、駆動信号を送ることにより、液晶表示画面を表示させる。
【００２８】
続いて、表示画面上のフリッカを確認する。このとき、ターゲットとする表示画面上の所定部位において、隣接するゲートライン（又はソースライン）間で極性が相殺されることでフリッカが不明瞭となっていれば、フリッカが最も目立つ位置となるように表示画面を確認しながらフリッカ調整用シート１０を移動させて、遮光部１２を表示画面において遮光ターゲットとするライン上に適切に配置するよう調節する。
【００２９】
このようにして、フリッカを明瞭に認識できる状態にしておき、フリッカの原因となる対向信号のセンター値のずれ、又は、画素電極信号のセンター値のずれ等を調節することにより、液晶表示装置２０のフリッカの発生を抑制させる。
【００３０】
なお、上記実施形態では、表示装置として、ＬＣＤ（liquid crystal display；液晶表示ディスプレイ）に係るものを例示したが、本発明は、ＰＤ（plasma display；プラズマディスプレイ）、ＰＡＬＣ（plasma addressed liquid crystal display；プラズマアドレス液晶ディスプレイ）、有機ＥＬ（organic electroluminescence ）、無機ＥＬ（inorganic electroluminescence ）、ＦＥＤ（field emission display；電界放出ディスプレイ）、又は、ＳＥＤ（surface-conduction electron-emitter display；表面電界ディスプレイ）などの表示装置のフリッカ調整にも適用することができる。
【００３１】
（作用効果）
次に、本発明の実施形態に係るフリッカ調整用シート１０及びそれを用いた液晶表示装置２０のフリッカ調整方法の作用効果について説明する。
【００３２】
本発明の実施形態に係るフリッカ調整用シート１０は、透明のシート本体１１と、シート本体１１に設けられ、フリッカ調整対象の表示装置のマトリクス状に配置された複数の画素２５を、その行方向において１ラインおきに遮光する複数の遮光部１２と、を備えたことを特徴とする。
【００３３】
本発明の実施形態に係る表示装置のフリッカ調整方法は、透明のシート本体１１と、シート本体１１に設けられ、フリッカ調整対象の表示装置のマトリクス状に配置された複数の画素２５を、その行方向において１ラインおきに遮光する複数の遮光部１２と、を備えたフリッカ調整用シート１０を準備するステップと、フリッカ調整用シート１０を、複数の遮光部１２が調整対象の表示装置の複数の画素２５に対し、行方向において１ラインおきに遮光するように表示装置の表示面上に設けるステップと、フリッカ調整用シート１０を表示装置の表示面上に設けた状態で、表示装置を表示させてフリッカを調整するステップと、を備えたことを特徴とする。
【００３４】
上述の構成によれば、フリッカ調整対象の液晶表示装置２０に対し、その表示画面上にフリッカ調整用シート１０を設けるだけでフリッカを明瞭に認識することができ、その状態で液晶表示装置２０のフリッカ調整を行うことができる。このため、液晶表示装置２０のフリッカ調整を簡易に且つ正確に行うことができる。
【００３５】
また、フリッカ調整用シート１０を用いずとも、デジタル信号入力機種では、１ラインおきの縞状パターンを表示させることで同等の調整が行えるが、アナログ信号入力機種では、この縞状パターンを表示させることが困難である。これに対し、本発明の構成によれば、フリッカ調整用シート１０を設けるだけで、アナログ信号入力機種においても表示装置のフリッカ調整を容易に且つ正確に行うことができる。
【産業上の利用可能性】
【００３６】
以上説明したように、本発明は、フリッカ調整用シート及びそれを用いた表示装置のフリッカ調整方法について有用である。
【図面の簡単な説明】
【００３７】
【図１】フリッカ調整対象の液晶表示装置、及び、液晶表示装置の表示面上に設けた本発明の実施形態に係るフリッカ調整用シートの斜視図である。
【図２】フリッカ調整対象の液晶表示装置のマトリクス状に配置された複数の画素を、その行方向において１ラインおきに遮光するように等間隔に複数形成されたフリッカ調整用シートの平面図である。
【図３】フリッカ調整対象の液晶表示装置のマトリクス状に配置された複数の画素を、その列方向において１ラインおきに遮光するように等間隔に複数形成されたフリッカ調整用シートの平面図である。
【図４】奇数フィールド及び偶数フィールドの切り替わりの際に１ゲートラインごとに極性反転する液晶表示装置の画素配置図である。
【図５】奇数フィールド及び偶数フィールドの切り替わりの際に１ソースラインごとに極性反転する液晶表示装置の画素配置図である。
【符号の説明】
【００３８】
１０，１０’      フリッカ調整用シート
１１，１１’      シート本体
１２，１２’      遮光部
【図１】
2009258534.tif 000003
【図２】
2009258534.tif 000004
【図３】
2009258534.tif 000005
【図４】
2009258534.tif 000006
【図５】
2009258534.tif 000007